【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
映像の色温度を補正する機能を有する映像処理装置であって、
外光を検出する外光検出手段と、
前記外光検出手段の検出結果から照度を算出する照度算出手段と、
前記外光検出手段の検出結果から環境色温度を算出する環境色温度算出手段と、
前記映像の明るさ情報を検出する映像明るさ検出手段と、
前記環境色温度に応じて前記映像の色温度を補正する際、前記照度及び前記映像の明るさ情報に応じて映像の色温度を修正する制御手段を備えることを特徴とする映像処理装置。
【請求項２】
前記制御手段は、
前記照度及び明るさ情報に基づき、前記映像の色温度を修正するための情報として、前記映像の色温度の基準となる基準映像色温度及び映像の色温度の可変範囲を算出する修正情報算出手段と、
前記環境色温度及び前記修正情報に基づいて前記映像の色温度を算出する映像色温度算出手段と、
前記映像の色温度に応じた補正を行うための補正係数を算出する補正係数算出手段と、
前記補正係数に従って前記映像の色温度を補正する映像色温度補正手段と、を備えることを特徴とする請求項１に記載の映像処理装置。
【請求項３】
前記修正情報算出手段は、前記照度及び前記明るさ情報に対応した前記修正情報を記憶する記憶手段を備えることを特徴とする、請求項２に記載の映像処理装置。
【請求項４】
前記修正情報算出手段は、
前記照度及び前記映像の明るさ情報に基づいて前記可変範囲を求める可変範囲算出手段と、
前記照度及び前記映像の明るさ情報に基づいて前記基準映像色温度を求める基準映像色温度算出手段を備えることを特徴とする、請求項２又は３に記載の映像処理装置。
【請求項５】
前記映像色温度算出手段は、
基準環境色温度を設定する設定手段と、
前記基準環境色温度と前記環境色温度との差分を算出する第１の差分算出手段と、
前記第１の差分算出手段の出力及び前記可変範囲に基づいて、前記基準映像色温度に対する映像色温度の差分値を算出する第２の差分算出手段と、
前記基準映像色温度と前記第２の差分算出手段の出力を加算する加算手段とを備えることを特徴とする、請求項２から４のいずれか１項に記載の映像処理装置。
【請求項６】
前記映像色温度算出手段は、前記第１の差分算出手段の出力及び前記可変範囲に応じた前記映像色温度の差分値を記憶する記憶手段を備えることを特徴とする、請求項５に記載の映像処理装置。
【請求項７】
前記映像の明るさ情報は、入力映像の平均輝度レベルを予め決められた期間に亘って平均した値を示す情報、及び映像の輝度が予め決められた基準値以上である画素の数を示す情報、及び映像内の白色領域の面積を示す情報のうち、少なくとも１つを含むことを特徴とする、請求項１から６のいずれか１項に記載の映像処理装置。
【請求項８】
入力映像の明度を補正する明度補正手段をさらに備え、前記映像の明るさ情報として明度補正信号を用いたことを特徴とする請求項１から７のいずれか１項に記載の映像処理装置。
【請求項９】
ユーザ操作に従って前記明度補正信号を前記明度補正手段に出力する操作入力手段をさらに備え、前記映像の明るさ情報として前記操作入力手段による入力値を用いたことを特徴とする請求項８に記載の映像処理装置。
【請求項１０】
外光を検出する外光検出工程と、
前記外光検出工程での検出結果から照度を算出する照度算出工程と、
前記外光検出工程での検出結果から環境色温度を算出する環境色温度算出工程と、
前記映像の明るさ情報を検出する映像明るさ検出工程と、
前記環境色温度に応じて前記映像の色温度を補正する際、前記照度及び前記映像の明るさ情報に応じて映像の色温度を修正する制御工程を備えることを特徴とする色温度補正方法。
【請求項１１】
前記制御工程は、
前記照度及び明るさ情報に基づき、前記映像の色温度を修正するための情報として、前記映像の色温度の基準となる基準映像色温度及び映像の色温度の可変範囲を算出する修正情報算出工程と、
前記環境色温度及び前記修正情報に基づいて前記映像の色温度を算出する映像色温度算出工程と、
前記映像の色温度に応じた補正を行うための補正係数を算出する補正係数算出工程と、
前記補正係数に従って前記映像の色温度を補正する映像色温度補正工程と、を有することを特徴とする請求項１０に記載の色温度補正方法。
【請求項１２】
前記修正情報算出工程では、前記照度及び前記明るさ情報に対応した前記修正情報を記憶手段に記憶することを特徴とする、請求項１１に記載の色温度補正方法。
【請求項１３】
前記修正情報算出工程は、
前記照度及び前記映像の明るさ情報に基づいて前記可変範囲を求める可変範囲算出工程と、
前記照度及び前記映像の明るさ情報に基づいて前記基準映像色温度を求める基準映像色温度算出工程を有することを特徴とする、請求項１１又は１２に記載の色温度補正方法。
【請求項１４】
前記映像色温度算出工程は、
基準環境色温度を設定する設定工程と、
前記基準環境色温度と前記環境色温度との差分を算出する第１の差分算出工程と、
前記第１の差分算出工程での出力及び前記可変範囲に基づいて、前記基準映像色温度に対する映像色温度の差分値を算出する第２の差分算出工程と、
前記基準映像色温度と前記第２の差分算出工程での出力を加算する加算工程とを有することを特徴とする、請求項１１から１３のいずれか１項に記載の色温度補正方法。
【請求項１５】
前記映像色温度算出工程では、前記第１の差分算出工程での出力及び前記可変範囲に応じた前記映像色温度の差分値を記憶手段に記憶することを特徴とする、請求項１４に記載の色温度補正方法。
【請求項１６】
前記映像の明るさ情報は、入力映像の平均輝度レベルを予め決められた期間に亘って平均した値を示す情報、及び映像の輝度が予め決められた基準値以上である画素の数を示す情報、及び映像内の白色領域の面積を示す情報のうち、少なくとも１つを含むことを特徴とする、請求項１０から１５のいずれか１項に記載の色温度補正方法。
【請求項１７】
入力映像の明度を補正する明度補正工程をさらに有し、前記映像の明るさ情報として明度補正信号を用いることを特徴とする請求項１０から１６のいずれか１項に記載の色温度補正方法。
【請求項１８】
ユーザ操作に従って前記明度補正信号を出力する操作入力工程をさらに有し、前記映像の明るさ情報として前記操作入力工程による入力値を用いることを特徴とする請求項１７に記載の色温度補正方法。
【手続補正２】
【補正対象書類名】明細書
【補正対象項目名】０００１
【補正方法】変更
【補正の内容】
【０００１】
本発明は、映像の色温度を補正する機能を備えた映像処理装置とその色温度補正方法に関するものである。
【手続補正３】
【補正対象書類名】明細書
【補正対象項目名】０００９
【補正方法】変更
【補正の内容】
【０００９】
上記課題を解決するために本発明に係る装置は、映像の色温度を補正する機能を有する映像処理装置であって、外光を検出する外光検出手段と、前記外光検出手段の検出結果から照度を算出する照度算出手段と、前記外光検出手段の検出結果から環境色温度を算出する環境色温度算出手段と、前記映像の明るさ情報を検出する映像明るさ検出手段と、前記環境色温度に応じて前記映像の色温度を補正する際、前記照度及び前記映像の明るさ情報に応じて映像の色温度を修正する制御手段を備える。